(57)【要約】【課題】実物または模型の液体タンク及び液量計測手段を用いることなく、条件が変化した際に、液量計測手段における計測値の基準値に対する変化量を容易に検出できる条件変化によるタンク用液量計測手段における計測値の変化量検出技術の提供を課題とする。【解決手段】液体タンクに関する条件、液量計測手段に関する条件、及び液体に関する条件の入力を受ける入力手段１１と、液体タンクに関する条件、液量計測手段に関する条件、及び液体に関する条件に基づいて、液量計測手段における計測値の基準値に対する変化量を検出する計測値変化量検出手段１２と、を備える。【選択図】図１
2008196966.tif 000002
【特許請求の範囲】
【請求項１】
液体タンク内に貯留されている液体の量を計測する液量計測手段の計測値について、前記液体タンクに関する条件、前記液量計測手段に関する条件、前記液体タンク内の前記液体に関する条件が変化した際に、前記液量計測手段における前記計測値の基準値に対する変化量を検出する装置であって、
前記液体タンクに関する条件、前記液量計測手段に関する条件、及び前記液体に関する条件の入力を受ける入力手段と、
前記液体タンクに関する条件、前記液量計測手段に関する条件、及び前記液体に関する条件に基づいて、前記液量計測手段における前記計測値の基準値に対する変化量を検出する計測値変化量検出手段と、
を備えることを特徴とする条件変化によるタンク用液量計測手段における計測値の変化量検出装置。
【請求項２】
前記入力手段は、前記液量計測手段の前記計測結果を表示する計測値表示手段に関する条件の入力を更に受け、
前記計測値表示手段に関する条件、及び前記計測値の変化量に基づいて、前記計測値表示手段における表示値の基準値に対する変化量を検出する表示値変化量検出手段を、更に備えることを特徴とする請求項１に記載の条件変化によるタンク用液量計測手段における計測値の変化量検出装置。
【請求項３】
前記液量計測手段は、前記液体の表面に浮上するフロート、前記フロートを支持するアーム、及び前記アームを回動自在に支持すると共に、前記アームの回転角に基づいて前記液体の量を検出するセンダを有し、
前記計測値変化量検出手段は、前記フロートが前記液体の容量の増減に従って移動する際の軌跡を示すフロート可動軌跡を検出するフロート可動軌跡検出手段と、
前記液体タンクに関する条件、前記液体に関する条件、及び前記フロート可動軌跡に基づいて、前記計測値変化量を算出する計測値変化量算出手段と、
を有することを特徴とする請求項１または２に記載の条件変化によるタンク用液量計測手段における計測値の変化量検出装置。
【請求項４】
前記前記計測値変化量又は前記表示値変化量の一方若しくは両方を出力する出力手段を、更に備えることを特徴とする請求項１から３の何れかに記載の条件変化によるタンク用液量計測手段における計測値の変化量検出装置。
【請求項５】
前記液体タンクに関する条件は、前記液体タンクの形状、寸法及び内容量、並びに前記液体タンクの姿勢であることを特徴とする請求項１から４の何れかに記載の条件変化によるタンク用液量計測手段における計測値の変化量検出装置。
【請求項６】
前記液量計測手段に関する条件は、前記センダの取付位置、及び前記フロートの中心の位置であることを特徴とする請求項４または５に記載の条件変化によるタンク用液量計測手段における計測値の変化量検出装置。
【請求項７】
前記液体に関する条件は、前記液体タンク内に貯留する前記液体の容量であることを特徴とする請求項１から６の何れかに記載の条件変化によるタンク用液量計測手段における計測値の変化量検出装置。
【請求項８】
コンピュータが、
液体タンク内に貯留されている液体の量を計測する液量計測手段の計測値について、前記液体タンクに関する条件、前記液量計測手段に関する条件、前記液体タンク内の前記液
体に関する条件が変化した際に、前記液量計測手段における前記計測値の基準値に対する変化量を検出する装置であって、
前記液体タンクに関する条件、前記液量計測手段に関する条件、及び前記液体に関する条件の入力を受けるステップと、
前記液体タンクに関する条件、前記液量計測手段に関する条件、及び前記液体に関する条件に基づいて、前記液量計測手段における前記計測値の基準値に対する変化量を検出するステップと、
を実行することを特徴とする条件変化によるタンク用液量計測手段における計測値の変化量検出方法。
【請求項９】
前記各条件の入力を受けるステップは、前記液量計測手段の前記計測結果を表示する計測値表示手段に関する条件の入力を更に受け、
前記計測値表示手段に関する条件、及び前記計測値変化量に基づいて、前記計測値表示手段における表示値の基準値に対する変化量を検出するステップを、更に実行することを特徴とする請求項８に記載の条件変化によるタンク用液量計測手段における計測値の変化量検出方法。
【請求項１０】
前記液量計測手段は、前記液体の表面に浮上するフロート、前記フロートを支持するアーム、及び前記アームを回転自在に支持すると共に、前記アームの回転角に基づいて前記液体の量を検出するセンダを有し、
前記計測値変化量を検出するステップは、前記フロートが前記液体の容量の増減に従って移動する際の軌跡を示すフロート可動軌跡を検出するステップと、
前記液体タンクに関する条件、前記液体に関する条件、及び前記フロート可動軌跡に基づいて、前記計測値変化量を算出するステップと、
を実行することを特徴とする請求項８または９に記載の条件変化によるタンク用液量計測手段における計測値の変化量検出方法。
【請求項１１】
前記前記計測値変化量又は前記表示値変化量の一方若しくは両方を表示するステップを、更に実行することを特徴とする請求項８から１０何れかに記載の条件変化によるタンク用液量計測手段における計測値の変化量検出方法。
【請求項１２】
前記液体タンクに関する条件は、前記液体タンクの形状、寸法及び内容量、並びに前記液体タンクの姿勢であることを特徴とする請求項８から１１の何れかに記載の条件変化によるタンク用液量計測手段における計測値の変化量検出方法。
【請求項１３】
前記液量計測手段に関する条件は、前記センダの取付位置、及び前記フロートの中心の位置であることを特徴とする請求項１０から１２の何れかに記載の条件変化によるタンク用液量計測手段における計測値の変化量検出方法。
【請求項１４】
前記液体に関する条件は、前記液体タンク内に貯留する前記液体の容量であることを特徴とする請求項８から１３の何れかに記載の条件変化によるタンク用液量計測手段における計測値の変化量検出方法。
【請求項１５】
コンピュータに、
液体タンク内に貯留されている液体の量を計測する液量計測手段の計測値について、前記液体タンクに関する条件、前記液量計測手段に関する条件、前記液体タンク内の前記液体に関する条件が変化した際に、前記液量計測手段における前記計測値の基準値に対する変化量を検出させるプログラムであって、
前記液体タンクに関する条件、前記液量計測手段に関する条件、及び前記液体に関する条件の入力を受けるステップと、
前記液体タンクに関する条件、前記液量計測手段に関する条件、及び前記液体に関する条件に基づいて、前記計測値の変化量を検出するステップと、
を実行させることを特徴とする条件変化によるタンク用液量計測手段における計測値の変化量検出プログラム。
【請求項１６】
前記各条件の入力を受けるステップは、前記液量計測手段の前記計測結果を表示する計測値表示手段に関する条件の入力を更に受け、
前記計測値表示手段に関する条件、及び前記計測値変化量に基づいて、前記計測値表示手段における表示値の変化量である表示値変化量を検出するステップを、更に実行させることを特徴とする請求項１５に記載の条件変化によるタンク用液量計測手段における計測値の変化量検出プログラム。
【請求項１７】
前記液量計測手段は、前記液体の表面に浮上するフロート、前記フロートを支持するアーム、及び前記アームを回転自在に支持すると共に、前記アームの回転角に基づいて前記液体の量を検出するセンダを有し、
前記計測値変化量を検出するステップは、前記フロートが前記液体の容量の増減に従って移動する際の軌跡を示すフロート可動軌跡を検出するステップと、
前記液体タンクに関する条件、前記液体に関する条件、及び前記フロート可動軌跡に基づいて、前記計測値変化量を算出するステップと、
を実行させることを特徴とする請求項１５または１６に記載の条件変化によるタンク用液量計測手段における計測値の変化量検出プログラム。
【請求項１８】
前記前記計測値変化量又は前記表示値変化量の一方若しくは両方を出力又は表示するステップを、更に実行させることを特徴とする請求項１５から１７何れかに記載の条件変化によるタンク用液量計測手段における計測値の変化量検出プログラム。
【請求項１９】
前記液体タンクに関する条件は、前記液体タンクの形状、寸法及び内容量、並びに前記液体タンクの姿勢であることを特徴とする請求項１５から１８の何れかに記載の条件変化によるタンク用液量計測手段における計測値の変化量検出プログラム。
【請求項２０】
前記液量計測手段に関する条件は、前記センダの取付位置、及び前記フロートの中心の位置であることを特徴とする請求項１７から１９の何れかに記載の条件変化によるタンク用液量計測手段における計測値の変化量検出プログラム。
【請求項２１】
前記液体に関する条件は、前記液体タンク内に貯留する前記液体の容量であることを特徴とする請求項１５から２０の何れかに記載の条件変化によるタンク用液量計測手段における計測値の変化量検出プログラム。
【発明の詳細な説明】
【技術分野】
【０００１】
本発明は、条件変化によるタンク用液量計測手段における計測値の変化量検出技術に係り、特に自動車などの燃料タンク及び燃料計に適用して好適な条件変化によるタンク用液量計測手段における計測値の変化量検出技術に関する。
【背景技術】
【０００２】
例えば、自動車の燃料タンク及び燃料計測手段は、燃料タンクの形状及び姿勢、燃料計測手段の取付位置、燃料タンク内に貯留する燃料の容量などの条件が変化しても、可能な限り燃料の容量を許容値内で正確に検出できるように設計するのが望ましい。
【０００３】
このため、従来は、燃料タンク及び燃料計測手段を設計する際に、実物若しくは模型の燃料タンク及び燃料計測手段を使用し、燃料タンクの形状、寸法及び姿勢、燃料タンク内の燃料の容量、燃料計測手段の取付位置などの条件を変更し、その都度、燃料計測手段における計測値の基準値に対する変化量を検出して、この変化量を考量して燃料タンク及び燃料計測手段を設計していた。
【特許文献１】特開２００４−１７０１７９号公報
【特許文献２】特開２００４−１１７１２１号公報
【特許文献３】特開平３−２５３９７６号公報
【発明の開示】
【発明が解決しようとする課題】
【０００４】
しかしながら、従来は、実物若しくは模型の燃料タンク及び燃料計測手段を使用し、燃料タンク、燃料計測手段及び燃料に関する条件を変えて、試行錯誤的に燃料計測手段における計測値の基準値に対する変化量を検出していたので、コスト及び時間がかかり、更に設計に際して条件変化に迅速に対応できないという問題があった。
【０００５】
このような問題は、燃料タンク及び燃料計測手段を設計する際に限らず、各種の液体タンク及び液量計測手段を設計する際にも、同様に発生する。
【０００６】
本発明は、このような問題に鑑みなされたもので、実物または模型の液体タンク及び液量計測手段を用いることなく、液体タンク、液量計測手段及び液体に関する条件が変化した際に、液量計測手段における計測値の基準値に対する変化量を容易に検出できる条件変化によるタンク用液量計測手段における計測値の変化量検出技術の提供を課題とする。
【課題を解決するための手段】
【０００７】
本発明は前記課題を解決するために、以下の手段を採用した。
すなわち、本発明は、
液体タンク内に貯留されている液体の量を計測する液量計測手段の計測値について、前記液体タンクに関する条件、前記液量計測手段に関する条件、前記液体タンク内の前記液体に関する条件が変化した際に、前記液量計測手段における前記計測値の基準値に対する変化量を検出する装置であって、
前記液体タンクに関する条件、前記液量計測手段に関する条件、及び前記液体に関する条件の入力を受ける入力手段と、
前記液体タンクに関する条件、前記液量計測手段に関する条件、及び前記液体に関する条件に基づいて、前記液量計測手段における前記計測値の変化量を検出する計測値変化量検出手段と、
を備えることを特徴とする。
【０００８】
液体タンクは、自動車などの燃料タンクを例示できる。本発明では、実物または模型の液体タンク及び液量計測手段を用いることなく、液体タンクに関する条件、液量計測手段に関する条件、液体タンク内の液体に関する条件を入力するだけで、上記各条件が変化した際に、液量計測手段における計測値の変化量を検出できる。従って、液体タンク及び液量計測手段を設計する際に、コスト低減及び作業時間の短縮が可能になる。
【０００９】
ここで、前記入力手段は、前記液量計測手段の前記計測結果を表示する計測値表示手段に関する条件の入力を更に受け、
前記計測値表示手段に関する条件、及び前記計測値の変化量に基づいて、前記計測値表示手段の表示値における基準値に対する変化量を検出する表示値変化量検出手段を、更に備える構成にできる。
【００１０】
また、前記液量計測手段は、前記液体の表面に浮上するフロート、前記フロートを支持するアーム、及び前記アームを回動自在に支持すると共に、前記アームの回転角に基づいて前記液体の量を検出するセンダを有し、
前記計測値変化量検出手段は、前記フロートの移動軌跡を検出するフロート移動軌跡検出手段と、
前記液体タンクに関する条件、前記液体に関する条件、及び前記フロートの移動軌跡に基づいて、前記計測値の変化量を算出する計測値変化量算出手段と、
を有する構成にできる。
【００１１】
また、前記計測値変化量検出手段の検出結果を出力する出力手段を、更に備える構成にできる。
【００１２】
また、前記液体タンクに関する条件は、前記液体タンクの形状、寸法及び内容量、並びに前記液体タンクの姿勢とすることができる。液体タンクの形状には、液体を貯留する液体貯留部の数を含めることができる。
【００１３】
また、前記液量計測手段に関する条件は、前記センダの取付位置、及び前記フロートの中心の位置とすることができる。
【００１４】
また、前記液体に関する条件は、前記液体タンク内に貯留する前記液体の容量とすることができる。
【００１５】
また、本発明は、コンピュータその他の装置、機械等が上記いずれかの処理を実行する方法であってもよい。また、本発明は、コンピュータその他の装置、機械等に、以上のいずれかの機能を実現させるプログラムをコンピュータ等が読み取り可能な記録媒体に記録したものであってもよい。
【００１６】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。
【００１７】
このような記録媒体のうちコンピュータから取り外し可能なものとしては、例えばフレキシブルディスク、光磁気ディスク、CD-ROM、CD-R/W、DVD、DAT、８mmテープ、メモリカード等がある。
【００１８】
また、コンピュータに固定された記録媒体としてハードディスクやＲＯＭ（リードオン
リーメモリ）等がある。
【発明の効果】
【００１９】
本発明によれば、実物又は模型の液体タンク及び液量計測手段を用いることなく、各種の条件が変化した際に、液量計測手段における計測値の基準値に対する変化量を検出できる。従って、コスト低減及び作業時間の短縮が可能になる。
【発明を実施するための最良の形態】
【００２０】
以下、図面を参照して本発明を実施するための最良の形態（以下、実施形態という）に係る条件変化によるタンク用液量計測手段における計測値の変化量検出技術について説明する。なお、以下の実施形態の構成は例示であり、本発明は実施形態の構成には限定されない。
【００２１】
＜第１実施形態＞
図１は、本発明に係る第１実施形態の条件変化によるタンク用液量計測手段における計測値の変化量検出装置（以下、計測値変化量検出装置と呼ぶ。）１を示す。
【００２２】
なお、本実施形態では、例えば自動車に設けられる燃料タンク及び燃料計に適用した場合について説明するが、本発明は各種の液体タンク及び液量計測手段に適用できる。
【００２３】
この計測値変化量検出装置１は、液体タンクである燃料タンク２１（図２参照）内に貯留されている燃料（液体）２２の量を計測する液量計測手段２３の計測値について、燃料タンク２１に関する条件、液量計測手段２３に関する条件、燃料タンク２１内の燃料２２に関する条件が変化した際に、液量計測手段２３における計測値の基準値に対する変化量（以下、計測値変化量と呼ぶ。）、及び液量計測手段２３によって計測された燃料の容量を表示する計測値表示手段２８における表示値の基準値に対する変化量（以下、表示値変化量と呼ぶ。）を検出する。
【００２４】
すなわち、この計測値変化量検出装置１は、燃料タンク２１に関する条件、液量計測手段２３に関する条件、燃料２２に関する条件の入力を受ける入力手段１１と、燃料タンク２１に関する条件、液量計測手段２３に関する条件、及び燃料２２に関する条件が変化した際に、液量計測手段２３における計測値変化量を検出する計測値変化量検出手段１２と、を備えている。
【００２５】
また、この計測値変化量検出装置１は、計測値表示手段２８（図２参照）における表示値変化量を検出する表示値変化量検出手段１３と、計測値変化量検出手段１２によって検出された計測値変化量、及び表示値変化量検出手段１３によって検出された表示値変化量を出力する出力手段１4とを備えている。
【００２６】
計測値変化量検出手段１２は、燃料タンク２１に関する条件、液量計測手段２３に関する条件、燃料２２に関する条件に基づいて、液量計測手段２３のフロート２５（図２参照）の可動軌跡を検出するフロート可動軌跡検出手段１５と、フロート２５の可動軌跡、燃料タンク２１に関する条件、及び燃料２２に関する条件の変化に基づいて、液量計測手段２３における計測値変化量を算出する計測値変化量算出手段１６とを備えている。
【００２７】
図２は、燃料タンク２１、燃料２２、液量計測手段２３及び計測値表示手段２８を示す。燃料タンク２１は、略直方体状（標準型）に形成されている。なお、図２中の記号Ｆ（full）は、計測値表示手段２８の満タンの状態を示す目盛３０（図３参照）のＦ点（満タン容量）に対応する容量の燃料２２の液面を示し、記号Ｅ（empty）は、空の状態を示す
目盛３０のＥ点に対応する容量の燃料２２の液面を示す。
【００２８】
液量計測手段２３は、燃料２２の表面に浮上するフロート２５と、フロート２５を支持するアーム２６と、アーム２６の一端を回動中心２６ａとして支持するとともに、アーム２６の回転量に基づいて、燃料タンク２１内に貯留する燃料２２の容量を検出するセンダ２７と、を有している。
【００２９】
また、計測値表示手段２８は、図３に示すように、燃料タンク２１内に貯留する燃料２２の容量を示す複数の目盛線３０ａが刻まれた円弧状の目盛３０と、センダ２７によって検出された燃料２２の容量に対応して、目盛３０の所定の目盛線３０ａを指示する指針３１とを有している。なお、図３中の記号Ｆは、燃料２２が満タンであることを示す目盛り線３０ａであり、記号Ｅは燃料２２が空であることを示す目盛線３０ａである。
【００３０】
次に、上記構成要素について説明する。入力手段１１は、上記のように、燃料タンク２１に関する条件、燃料２２に関する条件、液量計測手段２３に関する条件の入力を受ける。
【００３１】
本実施形態では、燃料タンク２１に関する条件として、燃料タンク２１の形状及び寸法、内側の容量（内容量）、及びタンク姿勢を示す車両傾斜角が入力される。燃料タンク２１の形状には、燃料２２を貯留する燃料貯留部の数を含めることができる。ここでは、燃料貯留部が１個である（図２参照）。
【００３２】
なお、本実施形態では、燃料タンク２１が自動車などの車両に固定されているので、車両の姿勢と燃料タンク２１の姿勢は同一になる。従って、本実施形態では、燃料タンク２１の姿勢として車両姿勢である車両傾斜角が入力される。
【００３３】
また、液量計測手段２３に関する条件として、液量計測手段２３におけるセンダ２７の取付位置が入力される。なお、後述のように、計測値変化量又は表示値変化量を検出する際には、アーム２６の長さ、アーム２６の回動中心２６ａの位置、フロート２５の中心２５ａの位置を使用するが、本実施形態では、これらの条件を固定するので、データベースに記憶しておき、適宜読み出すように構成されている。
【００３４】
また、燃料２２に関する条件として、燃料タンク２１内に貯留する燃料２２の容量が入力される。
【００３５】
更に、計測値表示手段２８に関する条件として、指針３１の長さＬ（指針３１の回転中心３１ａから目盛３０までの距離）、指針３１の最大振角θｍａｘ（指針３１がＥ点からＦ点まで回転する間の回転角度）、目盛３０上の指針３１が指示する目盛線３０ａに相当する燃料２２の容量、公称満タンの容量（Ｆ点に相当する容量）、燃料タンク２１内に貯留されている燃料２２のうち、燃料ポンプが吸入できないため使用できない容量を示す死ガス容量などがある。
【００３６】
本実施形態では、上記計測値表示手段２８に関する条件を固定するので、データベースに記憶しておき、適宜読み出すように構成されている。
【００３７】
図１の計測値変化量検出手段１２におけるフロート可動軌跡検出手段１５は、図２に示すように、燃料２２に関する条件である燃料２２の空（Ｅ点）状態の容量、及び満タン（Ｆ点）状態の容量、液量計測手段２３に関する条件であるセンダ２７の位置、アーム２６の長さ、及びアーム２６の回転中心２６ａの位置に基づいて、フロート２５が燃料２２の空（Ｅ点）状態から満タン（Ｆ点）状態まで変化する間に、フロート２５の中心２５ａが移動する軌跡であるフロート可動軌跡Ｋを検出する。
【００３８】
計測値変化量検出手段１２の計測値変化量算出手段１６は、上記で検出したフロート可動軌跡Ｋと、燃料タンク２１の形状、寸法及び内容量と、燃料タンク２１内に貯留する燃料２２の容量とに基づいて、計測値変化量を算出する。
【００３９】
上記フロート可動軌跡Ｋの検出処理では、図２に示すように、まず燃料タンク２１を水平状態、燃料２２を満タン状態（計測値表示手段２８のＦ点に相当する容量）とし、燃料２２の表面４１を形成する。
【００４０】
次に、燃料タンク２１を水平状態、燃料２２を空状態（計測値表示手段２８のＥ点に相当する容量）として、燃料２２の表面４２を形成する。
【００４１】
次に、液量計測手段２３におけるフロート２５の中心２５ａの位置、アーム２６の回動中心２６ａの位置、アーム２６の長さ（フロート２５の中心２５ａとアーム２６の回動中心２６ａとの距離）、燃料２２の満タン状態の表面４１及び空状態の表面４２に基づいて、フロート可動軌跡Ｋを検出する。
【００４２】
次に、計測値変化量検出手段１２の計測値変化量算出手段１６によって、車両傾斜角、燃料タンク２１内に貯留する燃料２２の容量（計測値表示手段２８の指針３１が指示する容量に対応する容量）、フロート２５における中心２５ａのフロート可動軌跡Ｋに基づいて、液量計測手段２３における計測値変化量を検出する。
【００４３】
本実施形態では、車両傾斜角として、水平状態での車両傾斜角を０°、前下がりの状態での車両傾斜角を−４°及び−８°、前上がりの状態での車両傾斜角を＋４°及び８°、左下がりの状態での車両傾斜角を−４°及び−８°、左上がりの状態での傾斜角を＋４°及び＋８°として、これらの合計９つの車両傾斜角について計測値変化量を検出する。
【００４４】
また、燃料タンク２１内に貯留している燃料２２の容量として、満タン状態の容量、空状態の容量、３／４状態の容量＝｛３／４×（満タン状態の容量−空状態の容量）＋空状態の容量｝、１／２状態の容量＝｛１／２×（満タン状態の容量−空状態の容量）＋空状態の容量）｝の合計４つの容量について計測値変化量を検出する。
【００４５】
なお、燃料タンク２１内に貯留している燃料２２の容量は、計測値表示手段２８の指針３１が指す目盛３０の表示値に対応している。
【００４６】
計測値変化量算出手段１６では、まず、図４に示すように、車両傾斜角Ｘ、及び燃料２２の容量に基づいて、燃料２２の表面である第１液面５１を形成する。図４は、車両姿勢（燃料タンク２１の姿勢）が、前下がりの状態を示す。
【００４７】
次に、第１液面５１と、フロート可動軌跡Ｋとの交点Ｋ１を求める。次に、図５に示すように、燃料タンク２１を水平とし、燃料２２の表面が交点Ｋ１を通るように燃料２２の容量を設定する。この場合における燃料２２の表面を第２液面５２とする。
【００４８】
次に、数式１によって計測値変化量を算出する。
計測値変化量＝（第２液面５２に相当する燃料２２の容量）−（第１液面５１に相当する燃料２２の容量）・・・数式１
【００４９】
この計測値変化量が大きいと、液量計測手段１３及び計測値表示手段２８の信頼性が低下するなどの問題が発生するおそれがある。従って、計測値変化量及び表示値変化量が許容値内に収まるように、燃料タンク２１及び液量計測手段２３を設計するのが好ましい。
【００５０】
次に、数式１で算出した計測値変化量に基づいて、計測値表示手段２８における表示値変化量を算出する。
【００５１】
本実施形態では、図６に示すように、計測値表示手段２８における目盛３０のＥ点〜Ｆ点までの表示値と、燃料タンク２１内に貯留されている燃料２２の容量とが略直線関係にあるものとする。
【００５２】
表示値変化量は、数式２により算出する。なお、本実施形態では、図７に示すように、指針３１の長さ（指針３１の回転中心３１ａから目盛３０までの距離）を指針長Ｌ、指針３１が目盛３０のＥ点からＦ点まで回転する角を最大振角θｍａｘとする。また、目盛３０のＥ点からＦ点までの間に相当する燃料タンク２１の容量を目盛ＥＦ間タンク容量とする。
【００５３】
なお、指針長Ｌ、最大振角θｍａｘ、及び目盛ＥＦ間タンク容量は、固定値であるため、ハードデスクに設けられたデータベースなどに予め記憶されている。
【００５４】
表示値変化量＝目盛ＥＦ間指針軌跡量×（計測値変化量／目盛ＥＦ間タンク容量）・・
・・数式２
但し、目盛ＥＦ間指針軌跡量＝２×π×指針長Ｌ×（θｍａｘ／３６０°）
目盛ＥＦ間タンク容量＝（目盛のＦ点に相当する燃料の容量）−（目盛のＥ点
に相当する燃料の容量）
【００５５】
同様に、燃料タンク２１の条件、液量計測手段２３の条件、及び燃料２２の条件を変更し、各条件を適宜組み合わせて計測値変化量、及び表示値変化量を検出する。
【００５６】
検出された計測値変化量及び表示値変化量は、出力手段１４によって出力される。本実施形態では、計測値変化量及び表示値変化量は、図８に示すように、燃料タンク傾斜指示特性６０として出力される。
【００５７】
この燃料タンク傾斜指示特性６０には、車両が前後に傾斜した場合の計測値変化量及び指示変動量を示す「前後チェック（−が前下がり）」欄６１、及び車両が左右に傾斜した場合の計測値変化量及び表示値変化量を示す「左右チェック（−が左下がり）」欄６２の各欄が設けられている。
【００５８】
また、「前後チェック」欄６１、及び「左右チェック」欄６２中の左側に「数値」欄６３が設けられ、右側に「グラフ」欄６４が設けられている。
【００５９】
「数値」欄６３には、「Ｆ目盛」欄６５、「３／４目盛」欄６６、「１／２目盛」欄６７、「１／４目盛」欄６８、「Ｅ目盛」欄６９が設けられている。
【００６０】
各「目盛」欄６５〜６９には、車両の傾斜角（−８°、−４°、０°、＋４°、＋８°）、表示値変化量、計測値変化量が数値で表示される。
【００６１】
また、「グラフ」欄６４には、表示値変化量グラフ７０（図９参照）と、計測値変化量グラフ７１（図１０参照）とが表示される。
【００６２】
表示値変化量グラフ７０は、図９に示すように、横軸が車両傾斜角Ｘ（deg）、縦軸が
表示値変化量（mm）である。なお、図９中の折れ線７２（菱形マークを結ぶ線）は検出された表示値変化量を示し、折れ線７３，７４は上限許容値及び下限許容値を示す。
【００６３】
また、表示値変化量の０は基準値を示す。本実施形態では、燃料タンク２１が水平状態のとき、計測値変化量及び表示値変化量が示す値を基準値（０）とする。
【００６４】
図９は、燃料２２の容量が目盛３０のＦ目盛に相当し、車両姿勢が前後に傾斜している場合の表示値変化量を示す。なお、車両傾斜角度の前に付けられた−記号は前下がり又は左下がりの状態を示し、＋記号は前上がりの状態又は左上がりの状態を示す。
【００６５】
この場合、車両傾斜角が−４°、−８°、＋４°、＋８°の場合、指針変動量は４．５（mm）で同一であり、上下限許容値７３，７４から外れている。
【００６６】
図１０は、燃料２２の容量が目盛３０の３／４目盛に相当し、車両姿勢が前後に傾斜している場合の表示値変化量を示す。この場合は、車両傾斜角が−４°のとき表示値変化量が１．６ｍｍ、車両傾斜角が−８°のとき表示値変化量が３．１ｍｍ、車両傾斜角が＋４°のとき表示値変化量が１．５mm、車両傾斜角が＋８°のとき表示値変化量が３．０ｍｍであり、全ての場合に表示値変化量が上下限許容値７３，７４内である。
【００６７】
図１１は、燃料２２の容量が目盛３０のＦ目盛に相当し、車両姿勢が前後に傾斜している場合の計測値変化量７５を示す。この場合、車両傾斜角が−４°，−８°，＋４°，＋８°のとき計測値変化量が−４．８リットルであり、上下限許容値７３，７４から外れている。
【００６８】
図１２は、燃料２２の容量が目盛３０の３／４目盛に相当し、車両姿勢が前後に傾斜している場合の計測値変化量を示す。この場合、車両傾斜角が−４°のとき計測値変化量が−１．７リットル、車両傾斜角が−８°のとき計測値変化量が−３．４リットル、車両傾斜角が＋４°のとき計測値変化量が１．７リットル、車両傾斜角が＋８°のとき計測値変化量が＋３．４リットルである。この場合、全ての車両傾斜角で、計測値変化量が上下限許容値７３，７４以内である。
【００６９】
上記各手段１１〜１６の機能は、コンピュータ上に実現されるＣＡＤシステムの１つの機能として、コンピュータ上で実現されるコンピュータプログラムによって実現される。ここで、コンピュータは、ＣＰＵ（Central Processing Unit）、メモリ、入出力インタ
ーフェース、入出力インターフェースに接続される外部記憶装置、表示装置、入力装置、通信装置等を有する。
【００７０】
外部記憶装置は、例えば、ハードディスク駆動装置である。また、外部記憶装置は、着脱可能な記憶媒体の駆動装置、例えば、ＣＤ−ＲＯＭ（Compact Disc Read Only Memory
）、ＤＶＤ（Digital Versatile Disk）等の駆動装置を含む。さらに、外部記憶装置として、フラッシュメモリカードの入出力装置を用いてもよい。
【００７１】
表示装置は、例えば、ＣＲＴ（Cathode Ray tube）、液晶ディスプレイ等である。また、入力装置は、キーボード、ポインティングデバイス等である。ポインティングデバイスには、マウス、ジョイスティック、タッチパネル、静電方式のフラットなポインティングデバイス、スティック形状のポインティングデバイス等を含む。通信装置は、例えば、ＬＡＮ基板等である。
【００７２】
＜処理フロー＞
図１３は、計測値変化量検出装置１による計測値変化量及び表示値変化量の検出処理フローを示す。上述のように、この処理フローは、コンピュータプログラムとして実現される。
【００７３】
この処理では、まず、燃料タンクに関する条件として燃料タンクの形状、寸法及び内容量、液量計測手段に関する条件としてセンダの取付位置、燃料に関する条件として燃料タンク内に貯留する燃料の容量の入力を受ける（Ｓ１）。
【００７４】
次に、フロート可動軌跡を検出する（Ｓ２）。次に、車両傾斜角の入力を受ける（Ｓ３）。なお、ステップＳ１で車両傾斜角を入力しても良い。
【００７５】
次に、計測値変化量を検出する（Ｓ４）。次に、表示値変化量を検出する（Ｓ５）。次に、計測値変化量及び表示値変化量を出力する（Ｓ６）。
【００７６】
このように、本発明の計測値変化量検出装置１は、実物又は模型の燃料タンク２１，及び液量計測手段２３を用いることなく、燃料タンク２１，燃料２２及び液量計測手段２３に関する条件が変わった際に、液量計測手段２３における計測値の基準値に対する変化量、及び計測値表示手段２８における表示値の基準値に対する変化量を容易に検出できる。
【００７７】
従って、計測値変化量及び表示値変化量を検出するためコストダウン、び作業時間の短縮が可能になる。また、計測値変化量及び表示値変化量を短時間で検出できるので、燃料タンク２１及び液量計測手段２３の設計をする際にタイムリーに対応できる。
【００７８】
なお、上記実施形態では、燃料タンクに関する条件として、燃料タンクの形状、寸法、内容積及び車両傾斜角を適用し、燃料計測手段に関する条件としてセンダの取付位置を適用し、燃料に関する条件として燃料タンク内に貯留する燃料の容量を適用したが、これ以外の各種の条件を適用できる。
【００７９】
《第２実施形態》
この計測値変化量検出装置１は、図１４に示すように、鞍型の燃料タンク８１に取り付けられた液量計測手段２３における計測値変化量、及び計測値表示手段２８における表示値変化量を検出できる。なお、以下の説明では、第１実施形態と同一の構成要素に同一の符号を付けて、詳細な説明を省略する。
【００８０】
燃料タンク８１は、断面がコ字状の鞍型に形成され、コの字における両辺に相当するメインタンク８１ａ及びサブタンク８１ｂが左右に配置され、メインタンク８１ａとサブタンク８１ｂを連結する連結部８１ｃが上側に配置されている。
【００８１】
また、液量計測手段２３及び計測値表示手段２８は、メインタンク８１ａ及びサブタンク８１ｂの両方に取り付けられている（図１５参照）。なお、図１４は、液量計測手段２３及び計測値表示手段２８を省略した。
【００８２】
入力手段１１は、燃料タンク８１の形状、寸法、内容量及び車両傾斜角（燃料タンクに関する条件）、燃料タンク８１内に貯留する燃料２２の容量（燃料に関する条件）、液量計測手段２３におけるセンダ２７の取付位置など、第１実施形態と同様な条件の入力を受ける。燃料タンク８１の形状には、燃料２２を貯留する燃料貯留部の数が含まれている。ここでは、燃料貯留部の数が２個（メインタンク８１ａ及びサブタンク８１ｂ）である。
【００８３】
計測値変化量検出手段１２のフロート可動軌跡検出手段１５は、図１４に示すように、まず、計測値変化量を検出すべき車両傾斜角Ｘのとき、メインタンク８１ａ内に貯留可能な最大容量に相当する燃料２２の液面（第１液面）８２を形成する。
【００８４】
次に、図１５に示すように、上記の車両傾斜角Ｘを保持した状態で、燃料２２の容量が
メインタンク８１ａに貯留可能な最大容量を超えている場合は、燃料２２の容量から最大容量をひいた分の容量が、サブタンク８１ｂに貯留されるものとし、サブタンク８１ｂ内に貯留される燃料２２の液面（第２液面）８３を形成する。
【００８５】
次に、各タンク８１ａ，８１ｂ内に取り付けられた液量計測手段２３，２３におけるフロート可動軌跡ＫＡ，ＫＢと、第１液面８２又は第２液面８３との交点ＫＡ１，ＫＢ１を検出する。
【００８６】
次に、図１６に示すように、車両傾斜角Ｘを０°（水平状態）とし、交点ＫＡ１，ＫＢ１を通る水平液面（第３液面）８４，８５を形成する。
【００８７】
次に、計測値変化量検出手段１２によって、数式１に基づいて計測値変化量を検出する。次に、表示値変化量検出手段１３によって、数式２に基づいて表示値変化量を検出する。
【図面の簡単な説明】
【００８８】
【図１】本発明に係る第１実施形態のタンク用液量計測手段の条件変化による計測値変化量検出装置を示す図である。
【図２】本発明に係る第１実施形態の燃料タンク、液量計測手段、計測値表示手段及びフロート可動軌跡を示す図である。
【図３】本発明に係る第１実施形態の計測値表示手段を示す図である。
【図４】本発明に係る第１実施形態のフロート可動軌跡を検出する方法を説明する図である。
【図５】本発明に係る第１実施形態の計測値変化量を検出する方法を説明する図である。
【図６】本発明に係る第１実施形態の燃料の容量と計測値表示手段における表示値との関係を示す図である。
【図７】本発明に係る第１実施形態の計測値表示手段の指針の最大振角を示す図である。
【図８】本発明に係る第１実施形態の計測値変化量及び表示値変化量を示す図である。
【図９】本発明に係る第１実施形態の表示値変化量を示す図であり、燃料の容量がＦ目盛に相当する場合の表示値変化量を示す図である。
【図１０】本発明に係る第１実施形態の表示値変化量を示す図であり、燃料の容量が３／４目盛に相当する場合の表示値変化量を示す図である。
【図１１】本発明に係る第１実施形態の計測値変化量を示す図であり、燃料の容量がＦ目盛に相当する場合の計測値変化量を示す図である。
【図１２】本発明に係る第１実施形態の計測値変化量を示す図であり、燃料の容量が３／４目盛に相当する場合の計測値変化量を示す図である。
【図１３】本発明に係る第１実施形態の計測値変化量および表示値変化量検出処理の処理フローを示す図である。
【図１４】本発明に係る第２実施形態の鞍型の燃料タンクにおける計測値変化量及び表示値変化量（指針変動量）を検出する方法を説明する図である。
【図１５】本発明に係る第２実施形態の鞍型の燃料タンクにおけるフロート可動軌跡と液面との交点を検出する方法を説明する図である。
【図１６】本発明に係る第２実施形態の鞍型の燃料タンクにおける計測値変化量及び表示値変化量を検出する方法を説明する図である。
【符号の説明】
【００８９】
１  計測値変化量検出装置
１１  入力手段
１２  計測値変化量検出手段
１３  表示値変化量検出手段
１４  出力手段
１５  フロート可動軌跡検出手段
１６  計測値変化量算出手段
２１  燃料タンク
２２  燃料
２３  液量計測手段
２５  フロート
２５ａ  フロートの中心
２６  アーム
２６ａ  アームの回転中心
２７  センダ
２８  計測値表示手段
３０  目盛
３０ａ  目盛線
３１  指針
３１ａ  回転中心
４１  満タン状態における燃料の表面
４２  空状態における燃料の表面
５１  第１液面
５２  第２液面
６０  燃料タンク傾斜指示特性
７０  表示値変化量グラフ
７１  計測値変化量グラフ
７２  表示値変化量を示す線
７３  表示値変化量の上限許容値
７４  表示値変化量の下限許容値
８１  燃料タンク
８１ａ  メインタンク
８１ｂ  サブタンク
８１ｃ  連結部
８２  メインタンクの液面
８３  サブタンクの液面
【図１】
2008196966.tif 000003
【図２】
2008196966.tif 000004
【図３】
2008196966.tif 000005
【図４】
2008196966.tif 000006
【図５】
2008196966.tif 000007
【図６】
2008196966.tif 000008
【図７】
2008196966.tif 000009
【図８】
2008196966.tif 000010
【図９】
2008196966.tif 000011
【図１０】
2008196966.tif 000012
【図１１】
2008196966.tif 000013
【図１２】
2008196966.tif 000014
【図１３】
2008196966.tif 000015
【図１４】
2008196966.tif 000016
【図１５】
2008196966.tif 000017
【図１６】
2008196966.tif 000018